(57)【要約】【課題】  衣類の前身頃胸部に効果実現を可能にする部分を設け、ブラジャー及びブラジャーの機能を有する衣類着用時の圧迫感からの完全解放、バストの形の表面化防止、容易な着脱、さらに巾広い年齢層・体形・健康状態・生活状況・気温に適応させる。【解決手段】  バストの形が表面化しない張りのある、且つ季節による気温に適応する素材を、腕の動きを阻害しない形斜線部１に成形し、内着用外着用両衣類の前身頃胸部にバスト部を膨出させずに組み込むことを特徴とする。【選択図】図１
2009197378.tif 000002
【特許請求の範囲】
【請求項１】
バストの形が表面化しない張りのある、且つ季節による気温に適応する素材を、腕の動きを阻害しない形に成形し、内着用外着用両衣類の前身頃胸部にバスト部を膨出させずに組み込むことを特徴とするブラジャー不要のナチュラル志向衣類。
【発明の詳細な説明】
【技術分野】
【０００１】  本発明は、ブラジャー及びブラジャーの機能を有する衣類着用時の圧迫感・不快感から解放する衣類に関する。
【背景技術】
【０００２】  従来、バストの保形を目的とするブラジャーの機能を有し、且つ圧迫感解消や容易な着脱を目的とする衣類は、さまざまな形やデザインを凝らした製品が生産・使用されている。具体例としては、下着やＴシャツ・タンクトップなどの前身頃バスト部に単にカップをつけたもの、下着の前身頃バスト部自体を膨出させたものなどがある。しかしながら、それらはバスト保形条件を中心に据えているため、着用者個々の体型・年齢・健康状態・生活状況・寒暖に合致するものではなく、快適さを欠くものである。【０００３】  上記例のカップを単に前身頃につけた衣類は、内着・外着両タイプがあるが、画一的なバストの位置に単にカップを設けているので、個々人の体型や動きに対応しきれず、バストとカップの位置にずれが生じ、バストがカップからはみ出し透けて見えるなどの欠点がある。【０００４】  上記例の下着の前身頃バスト部自体を膨出させた衣類は、用途は下着のみである。さらにバスト部の膨出部分を画一的な位置に設けてあるため個々人の体型や動きに対応しきれずバストと膨出部の位置にずれが生じ、その都度膨出部にバストをおさめなおさなければならない。また、アンダーバスト部に伸縮性ベルトを使用しているため、胃への圧迫感や高温時の汗だまり・かゆみなどの不快感から解放されない。【０００５】  これらの欠点の一部を補うものとして製品化されている胸パッドを含む前当てと外着の２重構造の胸パッドつきカットソーは、腕を上げた時の脇の皮膚の伸縮率よりも布の伸縮率を上げて脇伸びをカバーし、さらに胸パッドを含む前当てを肩部分１点留めにして、動きやすくパッドをずれにくくしているが、胸パッドを画一的な位置に設けてあるため個々人のバストの位置・大きさ・形に適応しきれず、バストと胸パッド部にずれが生じる。さらに胸パッドにバストをおさめるため胸パッド下部に伸縮ベルトを設けてあるため、胃への圧迫感・高気温時の汗だまり・かゆみなどの不快感から解放されない。またバストにフィットすることや伸縮性の高い生地使用のため、老人等非力者に適さない。【０００６】  アンダーバスト部の圧迫感解消のため、アンダーバスト部に伸縮性のあるレースや巾広ベルトを使用している製品があるが、ベルト部分がある限り胃への圧迫感や高気温時の汗だまり・かゆみなどの不快感からの完全解放はなされない。【０００７】  前身頃バスト部に当て布をして２重仕様にし、バストがひびきにくいとしているパジャマが製品化されているが、単に２重にしてあるためバスト表面化防止が完璧ではなく、パジャマなどの室内着にとどまる。
【発明の開示】
【発明が解決しようとする課題】
【０００８】  上述の如く、従来のバスト保形機能を有する衣類は、バスト部の膨出・胸パッド付きなどの製品が多い。しかしそれらは画一的な位置に設けてあるため個々人のバストの位置・形・大きさに合わず動きに対応できないことからずれが生じ、バストの形が表面化しバスト保護を保つことができない。【０００９】  上述の如く、従来のバスト保形機能を有する衣類は、バスト保形を必要条件としているため、バストを支えるためにアンダーバスト部に伸縮性素材のベルトを有している。そのため胃への圧迫感・高気温時の汗だまり・かゆみなどの不快感から解放されない。【００１０】  上述の如く、バスト部のフィット性を高めるために伸縮生地を使用している衣類は、伸縮に対応しての着脱になる。老人等非力者には適さない。【００１１】  上述の如く、バストの保形や表面化防止にはフィット性が高く厚地の生地を使用しなければならない。そのため通気性が悪く、高気温時には、むれ・汗・かゆみなどの不快感が増大する。【００１２】  上述の如く、バスト部を単に２重仕様にしている製品は、圧迫感からは解放されるが、バストの形の表面化防止が完璧ではない。また布地を２重にして厚地になっているため低気温時の保温にはなるが、高気温時には適さない。【００１３】  本発明は、このような問題点を解決するものであり、バストの保形・強調・誇示を必要条件とせず、その目的は衣類の前身頃胸部に効果実現を可能にする部分を設け、ブラジャー及びブラジャーの機能を有する衣類着用時の圧迫感からの完全解放、バストの形の表面化防止、容易な着脱、さらに巾広い年齢層・体形・健康状態・生活状況・気温への適応にある。
【課題を解決するための手段】
【００１４】  上述の目的を達成する本発明の衣類は、バストの形が表面化しない張りのある、且つ季節による気温に適応する素材を、腕の動きを阻害しない形に成形し、内着用外着用両衣類の前身頃胸部にバスト部を膨出させずに組み込むことを特徴とする。
【発明の効果】
【００１５】  本発明によれば、衣服前身頃胸部に張りをもたせることによりバストの形が表面化することがないため、ブラジャー及びブラジャーの機能を有する衣類の着用を必要としないことから、バストのみならず肩・胃などへの圧迫感がなく、血液循環も妨げず、身体をリラックス状態に保つことに有効である。【００１６】  本発明によれば、衣服前身頃胸部の張り部分に、高気温時着用衣類には通気性を有する素材を使用するため暑さ・汗・かゆみなどの不快感解消に、低気温時着用衣類には保温性を有する素材を使用するため冷え防止に有効である。【００１７】  本発明によれば、ホック等を有しないためかけはずし不要、また高伸縮性生地不使用のため老人等非力者にも着脱が容易である。【００１８】  本発明によれば、バスト部を膨出させないため、バストの位置・大きさ・形の違いに適応でき、動きに対応できる。【００１９】  本発明によれば、バストを完全解放するため快適に過ごすことができ、さらに内着用外着用両衣類に利用できるため巾広い年齢層・体形・健康状態・生活状況・着用目的に合わせて活用できることから、スポーツ用やバストの保形・強調・誇示目的以外のあらゆるニーズに答えることができる。特にナチュラル志向に最適である。
【発明を実施するための最良の形態】
【００２０】  以下、本発明の実施の形態を図面に基づき詳細に説明する。【００２１】  図１は、衣類の内着用外着用にかかわらず衣服前身頃における本発明実施形態の基本形で、斜線部が本発明の目的達成部である。以降、斜線部をパーツと称する。パーツの材質は、バスト表面化防止のため、張りのある材質で肌面はソフトであること。パーツの占める範囲は、ごわつき防止のため、パーツの周囲に余白をとった範囲とする。特に腕の動きをスムーズにするために脇部は１のような形状とする。【００２２】  図２は、パーツ部分である。バストの垂れ観を緩和するため、黒部２に白部３よりも厚みをもたせる。【００２３】  図３は、衣類の内着用外着用にかかわらず、前身頃全開の場合の基本形で、斜線部が本発明の目的達成部。【００２４】  本発明のパーツ構成材採用例を以下に示す。【００２５】  高気温時着用衣類のパーツには、高い通気性とバスト表面化防止のための張りを有するチュールなどの生地を組み込む。【００２６】  低気温時着用衣類のパーツには、保温性と張りを有するパッチワークの芯などの生地を組み込む。腹部の保温も兼ねる場合は腹部をおおう範囲にパーツの下部丈を伸ばす。【００２７】  本発明の適用例を以下に示す。【００２８】  シャツ・ランニング・キャミソール・スリップなどの内着用衣類。【００２９】  Ｔシャツ・ブラウス・トレーナーなどの外着用衣類。パーツ組み込み部は自在にデザインを施せる。【００３０】  パジャマ・ネグリジェ・ホームウェアなどのくつろぎ着。身体をリラックス状態に保ち、着脱容易、ブラジャー等不要のため診察に即対応できることからも入院生活・療養生活にも最適である。【００３１】  老人用前身頃全開衣類。被介護者にも最適である。【００３２】  母乳育児実践者用の前身頃開口衣類。乳腺を圧迫せず、授乳時には容易にバストを出すことができ、授乳中のバストも隠すことができる。漏れ乳対策も可能である。【００３３】  女児衣類。特にブラジャーをつけるにはまだ早いバスト発達初期段階の女児に最適である。体操服も可能である。【００３４】  本発明の応用例を以下に示す。【００３５】  衣服前身頃にパーツを組み込まず、着脱自在の単体とする。図４は、その形態例で、斜線部がパーツ部分で、黒部は衣服に着脱する部分である。【００３６】  以上、本発明の実施の形態及び実施例・応用例を説明したが、本発明の範囲はこれに限定されるものではない。例えば、パーツの形状・素材・組み込み方は、状況や進化に応じて適宜選択されるものである。【００３７】  また胸部に限らず、張りと通気・保温を必要とする他部分への適用も可能である。【００３８】  また女性に限らず、男性用パンツ前部分などへの適用も可能である。【００３９】  また本発明の目的に限らず、身体諸部位の傷などの保護目的にも利用可能である。
【図面の簡単な説明】
【００４０】
【図１】  本発明の実施形態の基本形の正面図である。
【図２】  図１の斜線部の厚みに係る詳細説明図である。
【図３】  前身頃全開衣類における本発明の実施形態の基本形の正面図である。
【図４】  本発明の実施形態の応用形の正面図である。
【図１】
2009197378.tif 000003
【図２】
2009197378.tif 000004
【図３】
2009197378.tif 000005
【図４】
2009197378.tif 000006